【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
画像記録手段から所定の属性データに基いて画像を検索する検索手段と、
検索された複数枚の画像の縮小画像を生成する縮小画像生成手段と、
生成された縮小画像の中から所望の画像を選択する画像選択手段と、
選択された選択画像を前記縮小画像の大きさよりも大きい選択表示画像として生成する選択画像生成手段と
を有した医療用画像再生装置において、
前記選択画像生成手段は、前記画像選択手段によって選択された画像を基準として所定数枚の画像を前記縮小画像の大きさよりも大きい前記選択表示画像を生成する
ことを特徴とする医療用画像再生装置。
【手続補正２】
【補正対象書類名】明細書
【補正対象項目名】００１３
【補正方法】変更
【補正の内容】
【００１３】
【課題を解決するための手段】
本発明の医療用画像再生装置は、画像記録手段から所定の属性データに基いて画像を検索する検索手段と、検索された複数枚の画像の縮小画像を生成する縮小画像生成手段と、生成された縮小画像の中から所望の画像を選択する画像選択手段と、選択された選択画像を前記縮小画像の大きさよりも大きい選択表示画像として生成する選択画像生成手段とを有した医療用画像再生装置において、前記選択画像生成手段は、前記画像選択手段によって選択された画像を基準として所定数枚の画像を前記縮小画像の大きさよりも大きい前記選択表示画像を生成するように構成される。
【手続補正３】
【補正対象書類名】明細書
【補正対象項目名】００１４
【補正方法】変更
【補正の内容】
【００１４】
本発明の医療用画像再生装置では、前記選択画像生成手段が、前記画像選択手段によって選択された画像を基準として所定数枚の画像を前記縮小画像の大きさよりも大きい前記選択表示画像として生成することで、画像診断等における操作性を向上させることを可能とする。
【手続補正４】
【補正対象書類名】明細書
【補正対象項目名】００１９
【補正方法】変更
【補正の内容】
【００１９】
また、画像記録ユニット３は、制御装置１３と、例えばハードディスク装置等からなる比較的小容量の小容量記録装置１４と、例えば複数の記録ディスク（ＭＯ、ＣＤ−Ｒ、ＤＶＤ等の光ディスク）等を備えたオートチェンジャ式の記録装置等からなる小容量記録装置１４より十分大きな記録容量を有する大容量記録装置１５とから構成され、ＬＡＮ５を介してそれぞれが接続され、制御装置１３は各ユニット２、３、４の状態を監視すると共に、画像入力ユニット２による検査中に小容量記録装置１４及び大容量記録装置１５を制御し、検索に必要な過去の患者の画像データを小容量記録装置１４に格納するようになっている。
【手続補正５】
【補正対象書類名】明細書
【補正対象項目名】００３２
【補正方法】変更
【補正の内容】
【００３２】
図６に示すように、画像再生装置１６に接続されたＰＣモニタ１７上に表示されるメイン画面２５は、主に６つの領域、すなわち、メニューバー３０及びツールバー３１、検査一覧表示エリア３２、画像表示エリア３３、所見表示エリア３４、オブジェクトコピーエリア３５、ステータスバー３６とから構成されている。以下にこれら領域の役割について説明する。なお、各エリアはウインドウとして独立な機能を有している。
【手続補正６】
【補正対象書類名】明細書
【補正対象項目名】００３７
【補正方法】変更
【補正の内容】
【００３７】
（５）オブジェクトコピーエリア３５：（図２のオブジェクトコピー管理）
用意されている各機能へ、画像データや所見データの受け渡しを行う。それぞれの機能は、アイコン化されており、このアイコン上に画像や所見をドラッグアンドドロップすることで、各機能モジュールヘデータの受け渡しと実行の指示を行うことが可能である。機能モジュールとしては、例えば以下（ａ）〜（ｅ）のようなものが用意されている。
【手続補正７】
【補正対象書類名】明細書
【補正対象項目名】００４５
【補正方法】変更
【補正の内容】
【００４５】
図８は、図７の状態で画像表示エリア３３に表示されたインデックス画像を１つ指定し、メイン画面２５に原画像サイズで表示した結果を示す。この指定は、インデックス画像をダブルクリックすることで可能である。
【手続補正８】
【補正対象書類名】明細書
【補正対象項目名】００５２
【補正方法】変更
【補正の内容】
【００５２】
従来の装置では、複数の拡大画像を並べて表示する際は、表示するインデックス画像を１つ１つ全て指定する必要があり、操作が煩わしかった。しかし、本実施の形態では、インデックス画像を１つ指定するのみで、自動で複数枚の画像を表示可能としているので、操作の煩わしさが解消されている（図９では第３のインデックス画像Ｃを指定することで連続した第４のインデックス画像Ｄないし第８のインデックス画像Ｈの６枚の拡大画像が表示されている）。
【手続補正９】
【補正対象書類名】明細書
【補正対象項目名】００６７
【補正方法】変更
【補正の内容】
【００６７】
そして、スキーマウィンドウ５１に選択したインデックス画像をウィンドウへ貼り付ける際に、スキーマウィンドウ５１のスキーマ５２上の位置を指定することで、その画像がどの部位を撮影した画像であるかを表示させることができる。このスキーマウィンドウ５１は、所見表示エリア内のボタンを押す、または所見表示エリア内でマウスを右クリックする等、所定の操作をすることで表示することができる。
【手続補正１０】
【補正対象書類名】明細書
【補正対象項目名】００６９
【補正方法】変更
【補正の内容】
【００６９】
図２０に、メイン画面２５において、所見表示エリア３４から入力し登録した所見データ、及び、スキーマ表示ウィンドウで登録した画像を印刷出力した出力結果を示す。本実施の形態では、所見表示エリア３４に表示されている所見ウィンドウをオブジェクトコピーエリア３５の印刷機能アイコンにドラッグアンドドロツプすることで、所見データおよび所見データと関連付けて登録されているスキーマ５２を所見文書５５として印刷出力することができる。
【手続補正１１】
【補正対象書類名】明細書
【補正対象項目名】００７０
【補正方法】変更
【補正の内容】
【００７０】
［付記］
（付記項１）  画像記録手段から所定の属性データに基いて画像を検索する検索手段と、
検索された複数枚の画像の縮小画像を生成する縮小画像生成手段と、
生成された縮小画像の中から所望の画像を選択する画像選択手段と、
選択された選択画像を前記縮小画像の大きさよりも大きい選択表示画像として生成する選択画像生成手段と
を有した医療用画像再生装置において、
前記選択画像生成手段は、前記画像選択手段によって選択された画像を基準として所定数枚の画像を前記縮小画像の大きさよりも大きい前記選択表示画像を生成する
ことを特徴とする医療用画像再生装置。
【手続補正１２】
【補正対象書類名】明細書
【補正対象項目名】００７１
【補正方法】変更
【補正の内容】
【００７１】
（付記項２）  前記選択画像生成手段は、前記縮小画像生成手段により生成された前記縮小画像の縮小画像表示領域と、選択された前記選択表示画像を大きく表示する選択画像表示領域とが重ならないように表示画像を生成する
ことを特徴とする付記項１に記載の医療用画像再生装置。
【手続補正１３】
【補正対象書類名】明細書
【補正対象項目名】００７２
【補正方法】変更
【補正の内容】
【００７２】
（付記項３）  前記選択表示画像の大きさは、
前記選択画像生成手段が生成する所定数枚の画像の枚数に応じて変更する
ことを特徴とする付記項２に記載の医療用画像再生装置。
【手続補正１４】
【補正対象書類名】明細書
【補正対象項目名】００７４
【補正方法】変更
【補正の内容】
【００７４】
（付記項５）  前記印刷プレビュー生成手段によって生成された複数枚の画像各々の生成位置は、前記印刷プレビュー画像上で変更可能である
ことを特徴とする付記項４に記載の医療用画像再生装置。
【手続補正１５】
【補正対象書類名】明細書
【補正対象項目名】００７５
【補正方法】変更
【補正の内容】
【００７５】
（付記項６）  前記印刷プレビュー生成手段は、印刷プレビュー画像を前記縮小画像生成手段の生成する縮小画像に重ならない位置に生成する
ことを特徴とする付記項４に記載の医療用画像再生装置。
【手続補正１６】
【補正対象書類名】明細書
【補正対象項目名】００７６
【補正方法】変更
【補正の内容】
【００７６】
（付記項７）  前記印刷プレビュー生成手段は、印刷プレビュー画像に使用する画像の大きさを前記縮小画像と同じ大きさもしくは前記縮小画像よりも小さくする
ことを特徴とする付記項４に記載の医療用画像再生装置。